(57)【要約】      （修正有） 【課題】要介護者・幼児を対象として使用する敷き布団で、使用者が誤って失禁した際にも容易に清浄化することができる防水機能を備え、布団の良さ（使用感）をそのまま生かし、且つ使い勝手が良い敷き布団を提供する。【解決手段】表裏地１１，１２間に適宜量の中綿１３を封入すると共に、中綿のズレ防止構造１４を施した布団体を形成し、少なくとも前記布団体の表地をマイクロファイバーで製出した防水性布帛２で覆うと共に、前記防水性布帛の全周縁２１を、布団体の周縁１５と縫合して形成する。【選択図】図２
0003142084.tif 000002
【実用新案登録請求の範囲】
【請求項１】
表裏地間に適宜量の中綿を封入すると共に、中綿のズレ防止構造を施した布団本体を形成し、少なくとも前記布団体の表地をマイクロファイバーで製出した防水性布帛で覆うと共に、前記防水性布帛の全周縁を、布団体の周縁に縫合してなることを特徴とする防水敷き布団。
【請求項２】
布団体の表地のみを防水性布帛で覆い、裏地は非防水性の綿布で形成してなる請求項１記載の防水敷き布団。
【請求項３】
防水性布帛が、非透湿性を有する完全防水性を備えてなる請求項２記載の防水敷き布団。
【請求項４】
防水性布帛が、抗菌防臭処理を施したものである請求項２又は３記載の防水敷き布団。
【請求項５】
防水性布帛の周縁と布団体の周縁とを重ね合わせ、Ｕ状折返し縁布で重ね合わせ部分を包み込むと共に一体に縫合してなる請求項２乃至４記載の何れかの防水敷き布団。
【考案の詳細な説明】
【技術分野】
【０００１】
本考案は、防水機能を備えた敷布団に関するものである。
【背景技術】
【０００２】
高齢者や病人等の要介護者に使用する寝具（主として敷き布団）や、保育園や幼稚園等で幼児を対象として使用する寝具においては、使用者が誤って失禁する場合もあり、放置すると衛生上好ましくなく、完全に消毒・乾燥させるには非常に手間が掛かってしまう。
【０００３】
そのため従前においては、特許文献１（登実３０６５５２６号公報）に記載されているように、布団やマットレスの表面を覆うように装着する防水シーツや、特許文献２（特開２００３−３１０９４号公報）に開示されているようにマット全体を伸縮性と防水性を兼ね備えた表地で被覆する手段や、特許文献３（特開平１０−２３４５２７号公報）に開示されているように表地とクッション本体の間に防水シートを介在させる手段などが提案されている。
【０００４】
【特許文献１】登録実用新案第３０６５５２６号公報。
【特許文献２】特開２００３−３１０９４号公報。
【特許文献３】特開平１０−２３４５２７号公報。
【考案の開示】
【考案が解決しようとする課題】
【０００５】
従前のような防水カバーの採用は、カバーの取外し取り付けの手間が必要であり、またカバーを装着した敷き布団においては、カバーが一般の布帛に対して防水処理を施したのみのものであれば、そのゴワゴワ感を拭い去ることが困難であり、布団が備えている独特のクッション性（寝心地の良さ）が低減されてしまう。
【０００６】
また防水処置を施したマットレスにおいても同様で、防水性の表地も前記カバーと同様の使用感があり、当然布団が備えている独特のクッション性を有するものではない。
【０００７】
特に特許文献３記載のように内部に防水シートを設け、表地には例えば綿布のような肌触りの良い布帛を採用したとしても、汚した場合には、表地を剥がすことなく清浄処理が必要となり、逆に煩雑になってしまう。
【０００８】
そこで本考案は、布団の良さをそのまま生かし、且つ後処理も容易な使い易い新規の防水敷き布団を提案したものである。
【課題を解決するための手段】
【０００９】
本考案（請求項１）に係る防水敷き布団は、表裏地間に適宜量の中綿を封入すると共に、中綿のズレ防止構造を施した布団本体を形成し、少なくとも前記布団体の表地をマイクロファイバーで製出した防水性布帛で覆うと共に、前記防水性布帛の全周縁を、布団体の周縁に縫合してなることを特徴とするものである。
【００１０】
而して一般的な布団体の中綿ズレ防止構造は、表裏地と中綿を適宜箇所で縫合するが、この中綿ズレ防止構造と別に防水性布帛を縫合するものであるから、特に防水カバーを使用すること無く、防水性布帛を上面にして敷き布団としてそのまま使用すると、失禁時等においても、布団体まで汚れが侵入することが無いので、防水性布帛の表面を拭浄するのみで清潔にすることができる。
【００１１】
また特に防水性布帛がマイクロファイバーで製出されたものであるから、防水処理を施しても充分な柔軟性を有するので、通常の布団同様の使い心地を備えるものである。
【００１２】
また本考案（請求項２）に係る防水敷き布団は、布団体の表地のみを防水性布帛で覆い、裏地は非防水性の綿布で形成してなるもので、裏地を上面として使用すると、通常の敷き布団として何らの支障もなく使用できるものである。
【００１３】
更に本考案（請求項３、４）に係る防水敷き布団は、前記の防水性布帛が、非透湿性を有する完全防水性を備えてなるもので、経年変化によって汚れが布団体の中まで浸透することが無く、防水機能が長年維持される耐久性に優れた布団となる。また抗菌防臭処理を施すことで、衛生的に好ましいものとなる。
【考案の効果】
【００１４】
本考案に係る防水敷き布団は、上記の構成であり、防水カバーのような着脱作業を必要とすることなく通常の敷き布団同様に使用して所望の防水機能を発揮するものであり、また防水性布帛の柔軟性によって、通常の布団同様の使用感が得られるものである。
【考案を実施するための最良の形態】
【００１５】
次に本考案の実施形態について説明する。実施形態に示した防水敷き布団は、基本的に布団体１と防水性布帛２で構成される。
【００１６】
布団体１は一般の布団同様に、綿布（勿論綿布以外の他の布帛でも良い）で形成された表地１１と裏地１２の間に中綿１３を充填し、表裏地１１，１２間を中綿１３と共に縫合する等の適宜な中綿ズレ防止構造１４を施してなる。
【００１７】
防水性布帛２は、マイクロファイバーの撚糸を織り込んで形成した布帛に、樹脂コーティングや薄膜ラミネート処理して防水性を付与すると共に、抗菌防臭処理を施したものであり、特に微孔を備えて透湿性を確保するものでなく、できれば完全防水性（非透湿性）とした布帛が好ましい。
【００１８】
前記の防水性布帛２は、布団体１の表地１１の表面に被せ、防水性布帛２の周縁２１と布団体１の周縁１５とを重ね合わせ、Ｕ状の折返し縁布３で前記の重ね合わせ部分を包み込むと共に一体に縫合３１してなる。
【００１９】
而して前記の防水敷き布団は、表面が防水性布帛２で裏面が綿布（裏地）１２で、且つ従前と同様に中綿１３が充填されたものであるから、通常の敷き布団と同様に使用されるもので、要介護者や幼児の使用に際しては防水性布帛２を上面として使用することで、失禁など対処も容易に為されるものである。
【図面の簡単な説明】
【００２０】
【図１】本考案の実施形態の一部裁断した斜視図。
【図２】同要部断面図。
【符号の説明】
【００２１】
１        布団体
１１      表地
１２      裏地
１３      中綿
１４      中綿ズレ防止構造
１５      周縁
２        防水性布帛
２１      周縁
３        折返し縁布
３１      縫合
【図１】
0003142084.tif 000003
【図２】
0003142084.tif 000004